(57)【要約】【課題】  受光面に積もる雪を発熱体の発する熱によって効率良く融かすことができる太陽光発電装置を提供する。【解決手段】太陽電池パネルと、この太陽電池パネルを傾斜状に取り付ける架台とを備え、前記架台に前記太陽電池パネルの裏面へ相対する取付面を形成させ、前記太陽電池パネルの裏面側にこの太陽電池パネルの生起する電力により発熱する発熱体と断熱材を配置させると共に、前記発熱体及び断熱材を前記太陽電池パネルと前記架台の取付面との間に狭着させて取り付ける。発熱体の発する熱を太陽電池パネルへ効率良く伝熱させて、受光面上の雪を融雪させることができる。【選択図】        図１
2014165295.tif 000002
【特許請求の範囲】
【請求項１】
太陽電池パネルと、該太陽電池パネルが傾斜状に取り付けられる架台とを備えた太陽光発電装置であって、
前記架台には前記太陽電池パネルの裏面に相対する取付面が形成され、該取付面に取り付けられて前記太陽電池パネルが前記架台に固定されるようになされており、
前記太陽電池パネルの裏面側に該太陽電池パネルの生起する電力により発熱する発熱体と断熱材が配置されると共に、
前記発熱体及び断熱材が前記太陽電池パネルと前記架台の取付面との間に狭着されて取り付けられていることを特徴とする太陽光発電装置。
【請求項２】
前記架台の取付面は、前記太陽電池パネルの上下及び左右、又は上下若しくは左右の縁付近の裏面にそれぞれ相対するように形成されており、
前記各取付面の間において前記太陽電池パネルの裏面と前記架台との間に中空部が形成されていることを特徴とする請求項１に記載の太陽光発電装置。
【発明の詳細な説明】
【技術分野】
【０００１】
本発明は、太陽電池パネルの受光面への積雪を抑制して発電の効率を高める太陽光発電装置に関するものである。
【背景技術】
【０００２】
太陽電池パネルを用いた太陽光発電装置においては、受光面の上に雪が積もると太陽電池パネルへの太陽光の受光が妨げられ発電の効率が低下するため、積雪を抑制させるための種々の発明が開示されている。
【０００３】
例えば特許文献１には、積雪地域に設置する太陽電池モジュールにおいて、融雪用の発熱体を備えてなることを特徴とする融雪機能付太陽電池モジュールが開示されている。
【先行技術文献】
【特許文献】
【０００４】
【特許文献１】特開平８−２５０７５６号公報
【発明の概要】
【発明が解決しようとする課題】
【０００５】
特許文献１に示される融雪機能付太陽電池モジュールは、発熱体の発する熱により太陽電池の上に積もる雪を融かすように設けられているが、発熱体からの熱が太陽電池モジュール以外の部分から外部へ放出されやすいという問題点があった。
【０００６】
そこで本発明は、受光面に積もる雪を発熱体の発する熱によって効率良く融かすことができる太陽光発電装置を提供するものである。
【課題を解決するための手段】
【０００７】
上記目的を達成するため、本発明は以下のような構成としている。
すなわち本発明に係る太陽光発電装置は、太陽電池パネルと、該太陽電池パネルが傾斜状に取り付けられる架台とを備えた太陽光発電装置であって、
前記架台には前記太陽電池パネルの裏面に相対する取付面が形成され、該取付面に取り付けられて前記太陽電池パネルが前記架台に固定されるようになされており、
前記太陽電池パネルの裏面側に該太陽電池パネルの生起する電力により発熱する発熱体と断熱材が配置されると共に、
前記発熱体及び断熱材が前記太陽電池パネルと前記架台の取付面との間に狭着されて取り付けられていることを特徴とするものである。
【０００８】
本発明に係る太陽光発電装置によれば、太陽電池パネルと、この太陽電池パネルを傾斜状に取り付ける架台とを備え、前記太陽電池パネルの裏面側に該太陽電池パネルの生起する電力により発熱する発熱体と断熱材を配置させるので、発熱体の裏面側への放熱が前記断熱材によって抑制され、表面側の太陽電池パネル上の雪を効率的に融かすことができる。
また、前記太陽電池パネルの裏面に相対する取付面を前記架台に形成させ、前記太陽電池パネルをこの取付面に取り付けて前記架台に固定させるように設け、前記発熱体及び断熱材を前記太陽電池パネルと前記架台の取付面との間に狭着させて取り付けるので、発熱体の発する熱を太陽電池パネルへ効率良く伝熱させて、受光面上の雪を融雪させることができる。
【０００９】
また、前記架台の取付面を、前記太陽電池パネルの上下及び左右、又は上下若しくは左右の縁付近の裏面にそれぞれ相対するように形成させ、前記各取付面の間において前記太陽電池パネルの裏面と前記架台との間に中空部を形成させれば、前記断熱材を伝わり外方へ漏れるようになされる放熱が前記中空部により抑制されるので、前記太陽電池パネル上の雪をより効率良く融雪でき、好ましい。
【発明の効果】
【００１０】
本発明の太陽光発電装置によれば、受光面に積もる雪を発熱体の発する熱によって効率良く融かすことができる。
【図面の簡単な説明】
【００１１】
【図１】本発明に係る太陽光発電装置の実施の一形態を示す、（イ）は正面図であり、（ロ）は側面図である。
【図２】図１の太陽光発電装置を設置させた状況を示す図である。
【図３】図１のＡ−Ａ断面図である。
【図４】図１のＢ−Ｂ断面図である。
【発明を実施するための形態】
【００１２】
本発明の実施の形態を図面に基づき具体的に説明する。
図面において、１は太陽光発電装置である。
本実施形態の太陽光発電装置１は、立設する支柱Ｓの上端に取り付けられて、別体に形成された各種装置へ生起した電力を供給するように設けられている。
図２は、支柱Ｓの上端に太陽光発電装置１を取り付けて、支柱Ｓの中程に取り付けた発光製品Ｌへ電力を供給する状態を示している。
【００１３】
図１に示すように、本実施形態の太陽光発電装置１は、太陽電池パネル２と、これを支柱Ｓへ取り付ける架台５とを備えている。
前記架台５は、前記支柱Ｓへ取り付けられる支持部５１と、前記太陽電池パネル２を取り付ける取付部５５とを備えており、取り付けた太陽電池パネル２の表面側の受光面を斜め上方向へ向けるように形成されている。
【００１４】
前記太陽電池パネル２の受光面と逆の裏面側には、矩形シート状に形成された発熱体３が配置され、更にその裏面側には矩形板状に形成された断熱材４が配置されて設けられている。
前記発熱体３は、太陽電池パネル２の裏面全体を覆うように取り付けられており、発熱体３の発熱によって太陽電池パネル２の受光面に積もった雪を融かすように設けられている。
また、前記断熱材４は、前記発熱体３の裏面全体を覆うように取り付けられており、発熱体３の発する熱の裏面側からの放熱を抑制させて太陽電池パネル２に積もった雪を効率良く融かすように設けられている。
本実施形態の発熱体３は炭素繊維発熱体で形成させているが、これに限るものではなく、ポリエステルヒーターやポリイミドヒーターなど他の材質のものを利用しても良い。
また、本実施形態の断熱材４は合成樹脂の発泡体で形成させているが、これに限るものではなく、他の材質のものを利用しても良い。
【００１５】
前記発熱体３は太陽電池パネル２の生起する電力によって発熱するように設けられている。
具体的には、本実施形態の太陽光発電装置１は、制御部（図示せず）を備えており、この制御部は前記太陽電池パネル２及び発熱体３と電気的に接続されていると共に、前記太陽電池パネル２の生起する電力を蓄える蓄電部と、周囲の明るさを検知する照度計を備えている。
前記制御部は、前記照度計の検知結果により昼間と夜間とを判別し、昼間において前記太陽電池パネル２がしきい値以上の電力を発電している場合には、その電力を蓄電部へ蓄え、夜間にこの蓄電部の電力を前記発光製品Ｌ等へ供給する。
そして、太陽電池パネル２の受光面へ積雪し、前記照度計の検知結果において昼間であるにも関わらす前記太陽電池パネル２がしきい値以下の電力しか発電していない場合には、前記蓄電部の電力を発熱体３へ供給し、発熱体３の熱によって太陽電池パネル２上の雪を融かすように制御を行う。
尚、前記照度計を備える前記制御部は、前記架台５に内装させてもよく、前記架台５と別体に設けた外部装置に内装させて架台５の外部に配置させてもよい。
【００１６】
図３は図１のＡ−Ａ断面図であり、図４は図１のＢ−Ｂ断面図である。
前記支持部５１は、下方に開口する筒状に形成されており、その内側が支柱Ｓの外形に対応する形状に形成されている。架台５は、支持部５１の内側へ支柱Ｓの上端を挿入させて、支柱Ｓへ取り付けられるように設けられている。
【００１７】
前記支持部５１の上端には、矩形板状に形成された基板部５２が固定されて設けられている。
基板部５２は、上方から下方へ至るほど前方へ向かう傾斜状に設けられており、傾斜状に取り付ける前記太陽電池パネル２の傾きに対応する角度に配置されている。
【００１８】
前記基板部５２の上縁には、その板面に対し垂直且つ上方へ向かって突出する矩形板状の側板部５３ａが形成されており、更にこの側板部５３ａの上縁には、その板面に対して垂直且つ上方へ向かって突出する矩形板状の取付部５５ａが形成されている。
また、基板部５２の下縁には、その板面に対し垂直且つ上方へ向かって突出する矩形板状の側板部５３ｂが形成されており、更にこの側板部５３ｂの上縁には、その板面に対して垂直且つ下方へ向かって突出する矩形板状の取付部５５ｂが形成されている。
前記取付部５５ａ及び取付部５５ｂは、それぞれ斜め上方向へ向けられた板面が同一平面上に配置された取付面に形成され、前記太陽電池パネル２を取り付け可能に設けられている。
【００１９】
また、基板部５２の左右の両縁には、その板面に対し垂直且つ上方へ向かって突出する矩形板状の側板部５３ｃがそれぞれ形成されており、各側板部５３ｃは前記各側板部５３ａ、５３ｂの突出の大きさと同じ大きさに突出するように形成されている。
尚、本実施形態の架台５は、前記基板部５２、及び各側板部５３ａ〜５３ｃ、及び各取付部５５ａ、５５ｂを、１枚の金属板を曲げ加工してそれぞれ形成させている。
【００２０】
前記太陽電池パネル２は、上部が前記取付部５５ａへ取り付けられ、下部が前記取付部５５ｂへ取り付けられて、前記架台５へ取り付けられている。
前記発熱体３及び断熱材４は、前記太陽電池パネル２と各取付部５５ａ、５５ｂとの間に狭着されて取り付けられており、前記太陽電池パネル２及び発熱体３及び断熱材４は、これらと取付部５５ａ又は取付部５５ｂとを貫通するブラインドリベットからなる固定部材６によって、架台５へそれぞれ固定されている。
【００２１】
前記断熱材４は、発熱体３の裏面側に配置されて裏面側への放熱を抑制させるが、発熱体３の発する熱の一部は断熱材４を伝わり、架台５から外方へ放熱される。
本実施形態の太陽光発電装置１は、突出する前記側板部５３ａ、５３ｂにより、前記架台５の基板部５２と前記断熱材４との間に、中空部５４を形成させている。この中空部５４により、断熱材４を介する発熱体３から架台５への伝熱が抑制され、発熱体３の背面側への放熱を低減できるので、発熱体３の発する熱により太陽電池パネル２の積雪を効果的に融かすことができる。
また、前記中空部５４は、その周囲を前記側板部５３ａ、５３ｂ、５３ｃに囲われているので、発熱体３の発する熱が断熱材４の裏面から外方へ放射されにくくなされている。
【００２２】
本実施形態の架台５は、太陽電池パネル２を取り付ける取付部５５を、太陽電池パネル２の上下の両縁にそれぞれ配置させて設けているが、これに限るものではなく、左右の縁付近に設けてもよく、上下及び左右の縁付近に設けてもよい。
【符号の説明】
【００２３】
１    太陽光発電装置
２    太陽電池パネル
３    発熱体
４    断熱材
５    架台
５１  支持部
５２  基板部
５３ａ  側板部
５３ｂ  側板部
５３ｃ  側板部
５５  取付部
６    固定部材
Ｌ    発光装置
Ｓ    支柱
【図１】
2014165295.tif 000003
【図２】
2014165295.tif 000004
【図３】
2014165295.tif 000005
【図４】
2014165295.tif 000006